(57)【要約】【課題】個人を特定するものを用意する必要がなく、個人認証するときに携帯機器に通信する必要がない。【解決手段】記憶手段５により、本個人認証装置１の利用者の持参する携帯機器に備えたスピーカ４が発する音の有する予め定めた周波数の信号の強度情報と歪み情報とを格納し、集音手段６により、携帯機器のスピーカ４から発する音を集音しデジタル信号にして出力し、ＦＦＴ手段７により、このデジタル信号を時間領域信号から周波数領域信号へ変換し、制御手段８により、ＦＦＴ手段７が変換した周波数領域信号より予め定めた周波数の信号の強度情報とこの信号の歪み情報とを求めこの強度情報と歪み情報とが記憶手段５に格納されているときに認証確認信号を出力する。【選択図】      図１
2005002704.tif 000002
【特許請求の範囲】
【請求項１】
本個人認証装置の利用者の持参する携帯機器のスピーカから発する音を受ける手段と、
この手段が受けた前記音の有する予め定めた周波数の信号の強度情報とこの信号の歪み情報とを求める手段と、
この求めた強度情報と歪み情報との組が予め自個人認証装置に登録されているか否かを調べ登録されているときに認証確認信号を出力する手段と、
を備えたことを特徴とする個人認証装置。
【請求項２】
本個人認証装置の利用者の持参する携帯機器に備えたスピーカが発する音の有する予め定めた周波数の信号の強度情報とこの信号の歪み情報とを前記携帯機器に割り付けられたＩＤに対応付けて格納する記憶手段と、
前記携帯機器の前記スピーカから発する前記音を集音しこの集音した前記音をデジタル信号に変換して出力する集音手段と、
前記集音手段が出力した前記デジタル信号を時間領域信号から周波数領域信号へ変換するＦＦＴ手段と、
前記ＦＦＴ手段が変換した前記周波数領域信号より前記予め定めた周波数の信号の前記強度情報とこの信号の前記歪み情報とを求めこの求めた強度情報と歪み情報との組が前記記憶手段に格納されているか否かを調べ、格納されているときに前記強度情報と歪み情報との組に対応する前記ＩＤの前記携帯機器が登録されていることを示す認証確認信号を出力する制御手段と、
を備えたことを特徴とする個人認証装置。
【請求項３】
前記集音手段が集音した前記音の有する前記予め定めた周波数の信号の前記強度情報とこの信号の前記歪み情報とが前記記憶手段にあるか否かの調査を開始させるための予め定めた番号を示す認証開始番号を更に格納する前記記憶手段と、
番号を入力されこの入力された番号が前記記憶手段に格納されている前記認証開始番号と一致しているか否かを調べ、一致しているときに前記ＦＦＴ手段が変換した前記周波数領域信号より前記予め定めた周波数の信号の前記強度情報とこの信号の前記歪み情報とを求めるようにした前記制御手段と、
を備えたことを特徴とする請求項２記載の個人認証装置。
【請求項４】
本個人認証装置の利用者の持参する携帯機器に備えたスピーカが発する音の有する予め定めた周波数の信号の強度情報とこの信号の歪み情報とを前記携帯機器に割り付けられたＩＤに対応付けて格納する第一のメモリと、
前記携帯機器の前記スピーカから発する前記音を集音するマイクと、
前記マイクが集音した前記音をデジタル信号に変換するＡ／Ｄ変換器と、
前記Ａ／Ｄ変換器が変換した前記デジタル信号を時間領域信号から周波数領域信号へ変換するＦＦＴ処理部と、
前記ＦＦＴ処理部が変換した前記周波数領域信号より前記予め定めた周波数の信号の前記強度情報とこの信号の前記歪み情報とを求め、この求めた強度情報と歪み情報との組が前記第一のメモリに格納されているか否かを調べ、格納されているときに前記強度情報と歪み情報との組に対応する前記ＩＤの前記携帯機器が登録されていることを示す認証確認信号を出力する制御部と、
を備えたことを特徴とする個人認証装置。
【請求項５】
前記マイクが集音した前記音の有する前記予め定めた周波数の信号の前記強度情報とこの信号の前記歪み情報とが前記第一のメモリにあるか否かの調査を開始させるための予め定めた番号を示す認証開始番号を予め格納する第二のメモリと、
番号を入力する入力部と、
前記入力部より入力された前記番号が前記第二のメモリに格納されている前記認証開始番号と一致しているか否かを調べ、一致しているときに前記ＦＦＴ処理部が変換した前記周波数領域信号より前記予め定めた周波数の信号の前記強度情報とこの信号の前記歪み情報とを求めるようにした前記制御部と、
を備えたことを特徴とする請求項４記載の個人認証装置。
【請求項６】
前記携帯機器は、携帯電話端末、ＰＨＳを含む携帯端末装置であることを特徴とする請求項１、２、３、４又は５記載の個人認証装置。
【請求項７】
前記携帯機器に備えた前記スピーカが発する前記音は、同一レベルの予め定めた周波数の単音であることを特徴とする請求項１、２、３、４、５又は６記載の個人認証装置。
【請求項８】
前記携帯機器に備えた前記スピーカが発する前記音は、前記携帯機器に予め格納し予め定めた操作により鳴動する着信音であることを特徴とする請求項７記載の個人認証装置。
【請求項９】
前記携帯機器に備えた前記スピーカが発する前記音は、３００Ｈｚから５００Ｈｚの周波数帯域の音であることを特徴とする請求項７又は８記載の個人認証装置。
【請求項１０】
前記携帯機器に備えた前記スピーカが発する前記音の有する前記予め定めた周波数の信号の前記歪み情報は、この予め定めた周波数の信号を基本波信号としたときの二次高調波信号強度と三次高調波信号強度との和をこの基本波信号強度で割った情報であることを特徴とする請求項１、２、３、４、５、６、７、８又は９記載の個人認証装置。
【請求項１１】
前記認証確認信号は、施錠機能付き扉の鍵を開錠するための開錠許可信号であることを特徴とする請求項１、２、３、４、５、６、７、８、９又は１０記載の個人認証装置。
【請求項１２】
前記スピーカは、携帯機器内臓のマイクロスピーカであることを特徴とする請求項１、２、３、４、５又は６記載の個人認証装置。
【請求項１３】
前記スピーカと前記マイクの位置関係を固定する冶具を有し、この冶具は、ベースと、このベースに設定され前記携帯機器を固定する携帯機器固定部と、前記ベースに設定され前記マイクを固定するマイク固定部と、を備えたことを特徴とする請求項４又は５記載の個人認証装置。
【請求項１４】
本開錠システムの利用者の持参する携帯機器のスピーカから発する音を受けこの音の有する予め定めた周波数の信号の強度情報とこの信号の歪み情報とを求めこの求めた強度情報と歪み情報との組が予め自個人認証装置に登録されているか否かを調べ、登録されているときに開錠許可信号を出力する個人認証装置と、
前記個人認証装置が出力する前記開錠許可信号を受け、鍵を開錠する施錠機能付き扉と、
を備えたことを特徴とする個人認証機能を備えた開錠システム。
【請求項１５】
前記個人認証装置は、
前記携帯機器に備えた前記スピーカが発する前記音の有する前記予め定めた周波数の信号の前記強度情報とこの信号の前記歪み情報とを前記携帯機器に割り付けられたＩＤに対応付けて格納する記憶手段と、
前記携帯機器の前記スピーカから発する前記音を集音しこの集音した前記音をデジタル信号に変換して出力する集音手段と、
前記集音手段が出力した前記デジタル信号を時間領域信号から周波数領域信号へ変換するＦＦＴ手段と、
前記ＦＦＴ手段が変換した前記周波数領域信号より前記予め定めた周波数の信号の前記強度情報とこの信号の前記歪み情報とを求めこの求めた強度情報と歪み情報との組が前記記憶手段に格納されているか否かを調べ、格納されているときに前記求めた強度情報と歪み情報との組に対応する前記ＩＤの前記携帯機器が登録されているとして前記開錠許可信号を出力する制御手段と、
を備えたことを特徴とする請求項１４記載の個人認証機能を備えた開錠システム。
【請求項１６】
前記個人認証装置は、
前記集音手段が集音した前記音の有する前記予め定めた周波数の信号の前記強度情報とこの信号の前記歪み情報とが前記記憶手段にあるか否かの調査を開始させるための予め定めた番号を示す認証開始番号を更に格納する前記記憶手段と、
番号を入力されこの入力された番号が前記記憶手段に格納されている前記認証開始番号と一致しているか否かを調べ、一致しているときに前記ＦＦＴ手段が変換した前記周波数領域信号より前記予め定めた周波数の信号の前記強度情報とこの信号の前記歪み情報とを求める前記制御手段と、
を備えたことを特徴とする請求項１５記載の個人認証機能を備えた開錠システム。
【請求項１７】
前記個人認証装置は、
前記携帯機器に備えた前記スピーカが発する前記音の有する前記予め定めた周波数の信号の前記強度情報とこの信号の前記歪み情報とを前記携帯機器に割り付けられたＩＤに対応付けて格納する第一のメモリと、
前記携帯機器の前記スピーカから発する前記音を集音するマイクと、
前記マイクが集音した前記音をデジタル信号に変換するＡ／Ｄ変換器と、
前記Ａ／Ｄ変換器が変換した前記デジタル信号を時間領域信号から周波数領域信号へ変換するＦＦＴ処理部と、
前記ＦＦＴ処理部が変換した前記周波数領域信号より前記予め定めた周波数の信号の前記強度情報とこの信号の前記歪み情報とを求め、この求めた強度情報と歪み情報との組が前記第一のメモリに格納されているか否かを調べ、格納されているときに前記強度情報と歪み情報との組に対応する前記ＩＤの前記携帯機器が登録されているとして前記開錠許可信号を出力する制御部と、
を備えたことを特徴とする請求項１４記載の個人認証機能を備えた開錠システム。
【請求項１８】
前記個人認証装置は、
前記マイクが集音した前記音の有する前記予め定めた周波数の信号の前記強度情報とこの信号の前記歪み情報とが前記第一のメモリにあるか否かの調査を開始させるための予め定めた番号を示す認証開始番号を予め格納する第二のメモリと、
番号を入力する入力部と、
前記入力部より入力された前記番号が前記第二のメモリに格納されている前記認証開始番号と一致しているか否かを調べ、一致しているときに前記ＦＦＴ処理部が変換した前記周波数領域信号より前記予め定めた周波数の信号の前記強度情報とこの信号の前記歪み情報とを求めるようにした前記制御部と、
を備えたことを特徴とする請求項１７記載の個人認証機能を備えた開錠システム。
【請求項１９】
前記携帯機器は、携帯電話端末、ＰＨＳを含む携帯端末装置であることを特徴とする請求項１４、１５、１６、１７又は１８記載の個人認証機能を備えた開錠システム。
【請求項２０】
前記携帯機器に備えた前記スピーカが発する前記音は、同一レベルの予め定めた周波数の単音であることを特徴とする請求項１４、１５、１６、１７、１８又は１９記載の個人認証機能を備えた開錠システム。
【請求項２１】
前記携帯機器に備えた前記スピーカが発する前記音は、前記携帯機器に予め格納し予め定めた操作により鳴動する着信音であることを特徴とする請求項２０記載の個人認証機能を備えた開錠システム。
【請求項２２】
前記携帯機器に備えた前記スピーカが発する前記音は、３００Ｈｚから５００Ｈｚの周波数帯域の音であることを特徴とする請求項２０又は２１記載の個人認証機能を備えた開錠システム。
【請求項２３】
前記携帯機器に備えた前記スピーカが発する前記音の有する前記予め定めた周波数の信号の前記歪み情報は、この予め定めた周波数の信号を基本波信号としたときの二次高調波信号強度と三次高調波信号強度との和をこの基本波信号強度で割った情報であることを特徴とする請求項１４、１５、１６、１７、１８、１９、２０、２１又は２２記載の個人認証機能を備えた開錠システム。
【請求項２４】
前記スピーカと前記マイクの位置関係を固定する冶具を有し、この冶具は、ベースと、このベースに設定され前記携帯機器を固定する携帯機器固定部と、前記ベースに設定され前記マイクを固定するマイク固定部と、を備えたことを特徴とする請求項１７又は１８記載の個人認証機能を備えた開錠システム。
【発明の詳細な説明】
【０００１】
【発明の属する技術分野】
本発明は個人認証装置及び個人認証機能を備えた開錠システムに関し、特に携帯機器を使用して個人認証する個人認証装置及び個人認証機能を備えた開錠システムに関する。
【０００２】
【従来の技術】
従来、この種の個人認証装置及び個人認証機能を備えた開錠システムは、データ管理室の扉、実験ベンチの扉、自動ロッカーの扉等の個人認証を必要とする扉を開くときに使用されている。
【０００３】
従来の個人認証機能を備えた開錠システムは、ＩＣカード等の個人を特定するものを使用して個人認証を行い、個人認証できたときにデータ管理室の扉等を開くようにしたものがある。
【０００４】
また、携帯電話機を使用して個人認証するようにしたものもある（例えば、特許文献１参照）。この特許文献１に開示された技術は、個人認証して扉を開くようにしたロッカーである。この技術はロッカーを開きたいときにロッカーに識別番号を入力すると、ロッカーからこの識別番号に対応する携帯電話機に電話が掛かり、携帯電話機のスピーカからはロッカーから送られるドレミ等の音声データが発せられる。携帯電話機をこの音声データを発したままでロッカーに近づけると、ロッカーは送信した音声データと携帯電話機が発した音声データとを比較し一致したときに扉を開く。
【０００５】
【特許文献１】
特開２００３−４１８２４号公報（段落「００１９」〜「００２２」）
【０００６】
【発明が解決しようとする課題】
上述した従来の個人認証機能を備えた開錠システムは、ＩＣカード等の個人を特定するものを使用して個人認証を行い、個人認証できたときにデータ管理室の扉等を開くようにしているため、ＩＣカード等の個人を特定するものをデータ管理室等を利用する人数分用意する必要があり、コストが掛かるという問題がある。
【０００７】
また、上述した従来の個人認証機能を備えた開錠システムのうちの特許文献１に開示された技術は、ロッカーを開きたいときにロッカーに識別番号を入力すると、ロッカーからこの識別番号に対応する携帯電話機に電話が掛かり、携帯電話機のスピーカからロッカーが送信した音声データが発せられ、携帯電話機をこの音声データを発したままでロッカーに近づけると、ロッカーは送信した音声データと携帯電話機が発した音声データとを比較し一致したときに扉を開くようにするため、ロッカーは、個人認証するときに個人認証するための鍵となる音声データを携帯電話機に送信するために携帯電話機に電話を掛ける必要があるので、個人認証するたびに通信費が発生するという問題がある。
【０００８】
本発明の目的はこのような従来の欠点を除去するため、個人を特定するものを人数分用意する必要がなくコストが掛からず、個人認証するときに携帯電話機に送信する必要がなく通信費が発生しない個人認証装置及び個人認証機能を備えた開錠システムを提供することにある。
【０００９】
【課題を解決するための手段】
本発明の第１の個人認証装置は、本個人認証装置の利用者の持参する携帯機器のスピーカから発する音を受ける手段と、
この手段が受けた前記音の有する予め定めた周波数の信号の強度情報とこの信号の歪み情報とを求める手段と、
この求めた強度情報と歪み情報との組が予め自個人認証装置に登録されているか否かを調べ登録されているときに認証確認信号を出力する手段と、
を備えて構成されている。
【００１０】
本発明の第２の個人認証装置は、本個人認証装置の利用者の持参する携帯機器に備えたスピーカが発する音の有する予め定めた周波数の信号の強度情報とこの信号の歪み情報とを前記携帯機器に割り付けられたＩＤに対応付けて格納する記憶手段と、
前記携帯機器の前記スピーカから発する前記音を集音しこの集音した前記音をデジタル信号に変換して出力する集音手段と、
前記集音手段が出力した前記デジタル信号を時間領域信号から周波数領域信号へ変換するＦＦＴ手段と、
前記ＦＦＴ手段が変換した前記周波数領域信号より前記予め定めた周波数の信号の前記強度情報とこの信号の前記歪み情報とを求めこの求めた強度情報と歪み情報との組が前記記憶手段に格納されているか否かを調べ、格納されているときに前記強度情報と歪み情報との組に対応する前記ＩＤの前記携帯機器が登録されていることを示す認証確認信号を出力する制御手段と、
を備えて構成されている。
【００１１】
また、本発明第２の個人認証装置は、前記集音手段が集音した前記音の有する前記予め定めた周波数の信号の前記強度情報とこの信号の前記歪み情報とが前記記憶手段にあるか否かの調査を開始させるための予め定めた番号を示す認証開始番号を更に格納する前記記憶手段と、
番号を入力されこの入力された番号が前記記憶手段に格納されている前記認証開始番号と一致しているか否かを調べ、一致しているときに前記ＦＦＴ手段が変換した前記周波数領域信号より前記予め定めた周波数の信号の前記強度情報とこの信号の前記歪み情報とを求めるようにした前記制御手段と、
を更に備えて構成されている。
【００１２】
本発明の第３の個人認証装置は、本個人認証装置の利用者の持参する携帯機器に備えたスピーカが発する音の有する予め定めた周波数の信号の強度情報とこの信号の歪み情報とを前記携帯機器に割り付けられたＩＤに対応付けて格納する第一のメモリと、
前記携帯機器の前記スピーカから発する前記音を集音するマイクと、
前記マイクが集音した前記音をデジタル信号に変換するＡ／Ｄ変換器と、
前記Ａ／Ｄ変換器が変換した前記デジタル信号を時間領域信号から周波数領域信号へ変換するＦＦＴ処理部と、
前記ＦＦＴ処理部が変換した前記周波数領域信号より前記予め定めた周波数の信号の前記強度情報とこの信号の前記歪み情報とを求め、この求めた強度情報と歪み情報との組が前記第一のメモリに格納されているか否かを調べ、格納されているときに前記強度情報と歪み情報との組に対応する前記ＩＤの前記携帯機器が登録されていることを示す認証確認信号を出力する制御部と、
を備えて構成されている。
【００１３】
また、本発明の第３の個人認証装置は、前記マイクが集音した前記音の有する前記予め定めた周波数の信号の前記強度情報とこの信号の前記歪み情報とが前記第一のメモリにあるか否かの調査を開始させるための予め定めた番号を示す認証開始番号を予め格納する第二のメモリと、
番号を入力する入力部と、
前記入力部より入力された前記番号が前記第二のメモリに格納されている前記認証開始番号と一致しているか否かを調べ、一致しているときに前記ＦＦＴ処理部が変換した前記周波数領域信号より前記予め定めた周波数の信号の前記強度情報とこの信号の前記歪み情報とを求めるようにした前記制御部と、
を更に備えて構成されている。
【００１４】
また、本発明の第１から第３の個人認証装置の前記携帯機器は、携帯電話端末、ＰＨＳを含む携帯端末装置である。
【００１５】
更に、本発明の第１から第３の個人認証装置において、前記携帯機器に備えた前記スピーカが発する前記音は、同一レベルの予め定めた周波数の単音である。
【００１６】
また、本発明の第１から第３の個人認証装置の前記携帯機器に備えた前記スピーカが発する前記音は、前記携帯機器に予め格納し予め定めた操作により鳴動する着信音である。
【００１７】
更に、本発明の第１から第３の個人認証装置の前記携帯機器に備えた前記スピーカが発する前記音は、３００Ｈｚから５００Ｈｚの周波数帯域の音である。
【００１８】
また、本発明の第１から第３の個人認証装置の前記携帯機器に備えた前記スピーカが発する前記音の有する前記予め定めた周波数の信号の前記歪み情報は、この予め定めた周波数の信号を基本波信号としたときの二次高調波信号強度と三次高調波信号強度との和をこの基本波信号強度で割った情報である。
【００１９】
更に、本発明の第１から第３の個人認証装置の前記認証確認信号は、施錠機能付き扉の鍵を開錠するための開錠許可信号である。
【００２０】
また、本発明の第１から第３の個人認証装置は、前記スピーカと前記マイクの位置関係を固定する冶具を有し、この冶具は、ベースと、このベースに設定され前記携帯機器を固定する携帯機器固定部と、前記ベースに設定され前記マイクを固定するマイク固定部と、を備えている。
【００２１】
本発明の第１の個人認証機能を備えた開錠システムは、本開錠システムの利用者の持参する携帯機器のスピーカから発する音を受けこの音の有する予め定めた周波数の信号の強度情報とこの信号の歪み情報とを求めこの求めた強度情報と歪み情報との組が予め自個人認証装置に登録されているか否かを調べ、登録されているときに開錠許可信号を出力する個人認証装置と、
前記個人認証装置が出力する前記開錠許可信号を受け、鍵を開錠する施錠機能付き扉と、
を備えて構成されている。
【００２２】
また、本発明の第１の個人認証機能を備えた開錠システムの前記個人認証装置は、
前記携帯機器に備えた前記スピーカが発する前記音の有する前記予め定めた周波数の信号の前記強度情報とこの信号の前記歪み情報とを前記携帯機器に割り付けられたＩＤに対応付けて格納する記憶手段と、
前記携帯機器の前記スピーカから発する前記音を集音しこの集音した前記音をデジタル信号に変換して出力する集音手段と、
前記集音手段が出力した前記デジタル信号を時間領域信号から周波数領域信号へ変換するＦＦＴ手段と、
前記ＦＦＴ手段が変換した前記周波数領域信号より前記予め定めた周波数の信号の前記強度情報とこの信号の前記歪み情報とを求めこの求めた強度情報と歪み情報との組が前記記憶手段に格納されているか否かを調べ、格納されているときに前記求めた強度情報と歪み情報との組に対応する前記ＩＤの前記携帯機器が登録されているとして前記開錠許可信号を出力する制御手段と、
を備えて構成されている。
【００２３】
また、本発明の第１の個人認証機能を備えた開錠システムの前記個人認証装置は、
前記集音手段が集音した前記音の有する前記予め定めた周波数の信号の前記強度情報とこの信号の前記歪み情報とが前記記憶手段にあるか否かの調査を開始させるための予め定めた番号を示す認証開始番号を更に格納する前記記憶手段と、
番号を入力されこの入力された番号が前記記憶手段に格納されている前記認証開始番号と一致しているか否かを調べ、一致しているときに前記ＦＦＴ手段が変換した前記周波数領域信号より前記予め定めた周波数の信号の前記強度情報とこの信号の前記歪み情報とを求める前記制御手段と、
を更に備えて構成されている。
【００２４】
本発明の第１の個人認証機能を備えた開錠システムの前記個人認証装置は、
前記携帯機器に備えた前記スピーカが発する前記音の有する前記予め定めた周波数の信号の前記強度情報とこの信号の前記歪み情報とを前記携帯機器に割り付けられたＩＤに対応付けて格納する第一のメモリと、
前記携帯機器の前記スピーカから発する前記音を集音するマイクと、
前記マイクが集音した前記音をデジタル信号に変換するＡ／Ｄ変換器と、
前記Ａ／Ｄ変換器が変換した前記デジタル信号を時間領域信号から周波数領域信号へ変換するＦＦＴ処理部と、
前記ＦＦＴ処理部が変換した前記周波数領域信号より前記予め定めた周波数の信号の前記強度情報とこの信号の前記歪み情報とを求め、この求めた強度情報と歪み情報との組が前記第一のメモリに格納されているか否かを調べ、格納されているときに前記強度情報と歪み情報との組に対応する前記ＩＤの前記携帯機器が登録されているとして前記開錠許可信号を出力する制御部と、
を備えて構成されている。
【００２５】
また、本発明の第１の個人認証機能を備えた開錠システムの前記個人認証装置は、
前記マイクが集音した前記音の有する前記予め定めた周波数の信号の前記強度情報とこの信号の前記歪み情報とが前記第一のメモリにあるか否かの調査を開始させるための予め定めた番号を示す認証開始番号を予め格納する第二のメモリと、
番号を入力する入力部と、
前記入力部より入力された前記番号が前記第二のメモリに格納されている前記認証開始番号と一致しているか否かを調べ、一致しているときに前記ＦＦＴ処理部が変換した前記周波数領域信号より前記予め定めた周波数の信号の前記強度情報とこの信号の前記歪み情報とを求めるようにした前記制御部と、
を更に備えて構成されている。
【００２６】
【発明の実施の形態】
次に、本発明の実施の形態について図面を参照して説明する。
【００２７】
図１は、本発明の個人認証機能を備えた開錠システムの一つの実施の形態を示すブロック図である。
【００２８】
図１に示す本実施の形態は、個人認証装置１と施錠機能付き扉２とにより構成する。
【００２９】
個人認証装置１は、この装置の利用者の持参する携帯機器（携帯電話端末、ＰＨＳを含む携帯端末装置である。以後、携帯電話端末３と記載する。）のスピーカ４から発する音を受けこの音の有する予め定めた周波数の信号の強度情報とこの信号の歪み情報とを求め、この求めた強度情報と歪み情報との組が予めこの個人認証装置１に登録されているか否かを調べ、登録されているときに開錠許可信号を出力する。
【００３０】
施錠機能付き扉２は、例えば、データ管理室の扉、実験ベンチの扉、自動ロッカーの扉等の個人認証を必要とするドア，戸を含む扉であり、個人認証装置１が出力する開錠許可信号を受け、扉の鍵を開錠する。
【００３１】
本システムの利用者は、この扉の鍵を開錠することによりデータ管理室、実験ベンチ等に入場することができ、また、自動ロッカーの扉が開錠したときにはロッカー内に荷物を置いたり、ロッカー内の荷物を取り出したりすることができる。
【００３２】
個人認証装置１は、記憶手段５と、集音手段６と、ＦＦＴ手段７と、制御手段８とにより構成する。
【００３３】
記憶手段５は、第一のメモリ１４と、第二のメモリ１５とにより構成し、第一のメモリ１４には、携帯電話端末３に備えたスピーカ４（例えば、携帯電話端末３内臓のマイクロスピーカ４）が発する音の有する予め定めた周波数の信号の強度情報とこの信号の歪み情報とを携帯電話端末３に割り付けられたＩＤに対応付けて格納する。第二のメモリ１５には、マイク１０が集音した音の有する予め定めた周波数の信号の強度情報とこの信号の歪み情報とが第一のメモリ１４にあるか否かの調査を開始させるための予め定めた番号を示す認証開始番号と、使用する携帯電話端末３を個人認証装置１に登録するときに使用する認証番号を示す登録開始番号とを予め格納する。
【００３４】
集音手段６は、携帯電話端末３のスピーカ４から発する音を集音するマイク１０と、マイク１０が集音した音を増幅するアンプ１１と、増幅された音をデジタル信号に変換するＡ／Ｄ変換器１２とにより構成する。
【００３５】
ＦＦＴ手段７（ＦＦＴ処理部１３）は、Ａ／Ｄ変換器１２が出力するデジタル信号を時間領域信号から周波数領域信号へ変換する。
【００３６】
制御手段８は、番号を入力するテンキー等の入力部と、制御部９とにより構成し、
入力部より入力された番号が第二のメモリ１５に格納されている認証開始番号と一致しているか否かを調べ、一致しているときにＦＦＴ処理部１３が変換した周波数領域信号より予め定めた周波数の信号の強度情報とこの信号の歪み情報とを求め、この求めた強度情報と歪み情報との組が第一のメモリ１４に格納されているか否かを調べ、格納されているときにこの強度情報と歪み情報との組に対応するＩＤの携帯電話端末３が登録されていることを示す認証確認信号を開錠許可信号として施錠機能付き扉２へ出力する。
【００３７】
予め定めた周波数の信号の歪み情報は、この予め定めた周波数の信号を基本波信号としたときの二次高調波信号強度と三次高調波信号強度との和をこの基本波信号の強度で割った情報である。
【００３８】
携帯電話端末３に備えたスピーカ４が発する音は、変動のない同一レベルの例えば３００Ｈｚから５００Ｈｚの周波数帯域の予め定めた周波数の音（単音）が望ましい。携帯電話端末３に備えたスピーカ４が発する音が変動のない同一レベルの単音であると、歪み情報の計算が容易となる。また、周波数を３００Ｈｚから５００Ｈｚの間を適用する理由は、この帯域が、一般的にマイクロスピーカ４の歪率が高くかつ音圧もある程度確保でき、携帯電話端末３の個体差が大きくなる帯域だからである。
【００３９】
携帯電話端末３に備えたスピーカ４が発する音は、例えば、この携帯電話端末３に予め格納し予め定めた操作により鳴動する着信音（認証用着信音）である。この認証用着信音は、全携帯電話端末３で共通に使用する。これは、スピーカ４を携帯電話端末３に実装した時のスピーカ音圧（着信音の強度情報）及び歪み特性（着信音の歪み情報）が端末毎に異なるため、複雑な構成の着信音を複数使用する必要がないためである。
【００４０】
次に、本実施の形態の個人認証機能を備えた開錠システムの動作を図２，図３，図４，図５及び図６を参照して詳細に説明する。
【００４１】
図２は、本発明の実施の形態の動作の一例を示すフローチャートである。
【００４２】
図３は、第二のメモリに格納する内容の一例を示す図であり、第二のメモリ１５に、個人認証装置１に個人認証を開始することを指示するときの認証番号を示す認証開始番号と、使用する携帯電話端末３を個人認証装置１に登録するときに使用する認証番号を示す登録開始番号とを予め格納しておく。また、携帯電話端末３に割り付けられたＩＤ（例えば、端末番号）と、この端末番号の携帯電話端末３を使用して施錠機能付き扉２の鍵を開錠したときの時刻（最終の入場時刻）とが格納される。
【００４３】
図４は、冶具を使用して携帯電話端末のスピーカと個人認証装置のマイクとの位置関係を固定する様子の一例を示す図であり、この冶具は、ベースと、このベースに設定され携帯電話端末３を固定する携帯機器固定部と、ベースに設定されマイク１０を固定するマイク固定部と、を備えている。携帯電話端末３のスピーカ４からマイク１０までの距離は例えば１０ｃｍ（この数値にこだわることなく、システムにより適宜設定してよい）である。マイク１０は予めマイク固定部に設定しておき、システムを使用するときに携帯電話端末３を携帯機器固定部に設定する。この冶具を無響箱内に設置すると、マイク１０の周囲が防音されるため、マイク１０が周囲騒音を集音しなくなるので、個人認証装置１の誤動作を防ぐことができる。
【００４４】
図５は、第一のメモリに格納する内容の一例を示す図であり、本開錠システムで使用する携帯電話端末３の登録内容を示している。この登録内容は携帯電話端末３に割り付けられたＩＤ（例えば、端末番号）に対応させて、この端末番号の携帯電話端末３のスピーカ４より発する認証用着信音の音圧（着信音の強度情報）及び歪み（着信音の歪み情報）である。
【００４５】
図６は、本開錠システムで使用する携帯電話端末の登録の動作の一例を示すフローチャートである。
【００４６】
図１において、最初に、使用する携帯電話端末３を個人認証装置１に登録する。
【００４７】
図６に従って、登録する手順を示す。
【００４８】
図６のステップ６１では、利用者は、携帯電話端末３のスピーカ４から予め定められた認証用着信音（例えば、３００Ｈｚの単音）を鳴動させ、個人認証装置１のマイク１０に集音させた状態で入力部に登録開始番号を入力する。このとき、図４に示すように、マイク１０で集音する認証用着信音のレベルが一定になるようにするために、携帯電話端末３のスピーカ４とマイク１０の位置関係を固定する冶具を使用し、携帯機器固定部に携帯電話端末３を設定する。一方、この個人認証装置１のマイク１０で集音した認証用着信音を、個人認証装置１のアンプ１１で増幅しＡ／Ｄ変換器１２でデジタル信号に変換し、ＦＦＴ処理部１３によりこのデジタル信号を時間領域信号から周波数領域信号へ変換する。
【００４９】
図６のステップ６２では、制御部９は、入力部より入力された番号が、図３に示す第二のメモリ１５に予め格納されている登録開始番号と一致するか否かを確認し、登録開始番号と一致しないときはステップ６１に戻る。登録開始番号と一致したときには、ステップ６３へ続ける。
【００５０】
図６のステップ６３では、制御部９は、第一のメモリ１４内に新規にデータ登録するためのメモリ領域を確保し、この携帯電話端末３に新規にＩＤ（端末番号）を割り付けて追加する。
【００５１】
図６のステップ６４では、制御部９は、ステップ６１で作成した認証用着信音の周波数領域信号よりこの認証用着信音の周波数の信号である基本波信号を取り出しこの基本波信号の強度（認証用着信音の音圧）を第一のメモリ１４に追加したメモリ領域に、図５に示すように新規追加した端末番号と対応付けて記録する。
【００５２】
図６のステップ６５では、制御部９は、ステップ６１で作成した認証用着信音の周波数領域信号より基本波信号の二倍の周波数の信号（二次高調波信号）と基本波信号の三倍の周波数の信号（三次高調波信号）とを取り出し、二次高調波信号強度と三次高調波信号強度との和をとりこの和を基本波信号強度で割り１００を掛けることにより認証用着信音の歪み情報を％にして取得する。そして、第一のメモリ１４に追加したメモリ領域に、図５に示すように新規追加した端末番号と対応付けて記録する。
【００５３】
次に、登録した携帯電話端末３を使用して施錠機能付き扉２を開ける。
【００５４】
図２に従って施錠機能付き扉２を開ける手順を示す。
【００５５】
図２のステップ２１では、利用者は、図６のステップ６１と同様に、携帯電話端末３のスピーカ４から認証用着信音を鳴動させ、マイク１０に集音させた状態で入力部に認証開始番号を入力する。このとき、図４に示すように、個人認証装置１のマイク１０で集音する認証用着信音のレベルが一定になるようにするために、携帯電話端末３のスピーカ４とマイク１０の位置関係を固定する冶具を使用して携帯機器固定部に携帯電話端末３を設定するのが望ましい。利用者は、図４で示す冶具を使用せずにマイク１０とスピーカ４との距離が例えば１０ｃｍ程度になるように携帯電話端末３をマイク１０に近づけるようにしても良い。一方、個人認証装置１は、マイク１０で集音した認証用着信音を、アンプ１１で増幅しＡ／Ｄ変換器１２でデジタル信号に変換し、ＦＦＴ処理部１３によりこのデジタル信号を時間領域信号から周波数領域信号へ変換する。
【００５６】
図２のステップ２２では、制御部９は、入力部より入力された番号が図３に示す第二のメモリ１５に予め格納されている認証開始番号と一致するか否かを確認し、認証開始番号と一致しないときはステップ２１に戻る。認証開始番号と一致したときには、ステップ２３へ続ける。
【００５７】
図２のステップ２３では、制御部９は、ステップ２１で作成した認証用着信音の周波数領域信号より基本波信号とこの信号の二次高調波信号と三次高調波信号とを取り出し、二次高調波信号強度と三次高調波信号強度との和をとりこの和を基本波信号強度で割り１００を掛けることにより認証用着信音の歪み情報を％にして取得する。
【００５８】
図２のステップ２４では、制御部９は、ステップ２３で取得した歪み情報と基本波信号強度の両方が一致する（完全一致でなくても良く、それぞれ、その差が図５で示す登録した値の例えば０％から１０％の間にあれば良い。この「０％から１０％」はシステムにより適宜設定して良い。）端末番号が第一のメモリ１４内にあるか否かを調べ、一致する端末番号が第一のメモリ１４内にないときにはステップ２１へ戻る。一致する端末番号が第一のメモリ１４内にあるときにはステップ２５へ続ける。
【００５９】
図２のステップ２５では、制御部９は、図３に示すように歪み情報と基本波信号強度の両方が一致した端末番号の現在の時刻を最終入場時刻として端末番号に対応させて第二のメモリ１５に記録する。このことにより、この開錠システムの設置された場所へのこの携帯電話端末３の利用者の入場記録が取れることになり、管理者は、第二のメモリ１５に記録された端末番号の最終入場時刻を見ることにより入場状況を把握できる。
【００６０】
図２のステップ２６では、制御部９は、ステップ２３で取得した基本波信号強度情報と歪み情報とをこの携帯電話端末３の端末番号と対応付けて再度第一のメモリ１４に格納することによりこの基本波信号強度情報と歪み情報とを更新する。このことにより経年劣化による携帯電話端末３のスピーカ特性の変化を、開錠処理する度に補正できるようになる。
【００６１】
図２のステップ２７では、制御部９は、開錠許可信号を出力し、施錠機能付き扉２は開錠許可信号を受け鍵を開錠する。
【００６２】
【発明の効果】
以上説明したように、本発明によれば、個人認証装置や個人認証機能を備えた開錠システムの利用者の持参する携帯機器のスピーカから発する音を受け、この音の予め定めた周波数の信号の強度情報とこの信号の歪み情報とを求め、この強度情報と歪み情報との組が予め登録されているときに認証確認信号を出力するため、個人を特定するものが利用者個人の持参する携帯機器であるので、個人認証装置や個人認証機能を備えた開錠システムを使用する人数分のＩＣカード等の個人を特定するものを用意する必要がなくコストが掛からない。
【００６３】
また、利用者の持参する携帯機器のスピーカから発する音を受け、この音の強度情報と歪み情報とを調べて認証確認信号を出力するので、個人認証するときに携帯機器に通信する必要がなく通信費が発生しない。
【００６４】
更に、携帯機器のスピーカの鳴動する音の強度情報と歪み情報は、同一機種の携帯機器のスピーカの鳴動する音の強度情報と歪み情報と異なり個体差があるので、同一機種の携帯機器を持参して音を鳴動しても個人認証できないので、成りすましがされにくい。
【図面の簡単な説明】
【図１】本発明の個人認証機能を備えた開錠システムの一つの実施の形態を示すブロック図である。
【図２】本発明の実施の形態の動作の一例を示すフローチャートである。
【図３】第二のメモリに格納する内容の一例を示す図である。
【図４】冶具を使用して携帯電話端末のスピーカと個人認証装置のマイクとの位置関係を固定する様子の一例を示す図である。
【図５】第一のメモリに格納する内容の一例を示す図である。
【図６】本開錠システムで使用する携帯電話端末の登録の動作の一例を示すフローチャートである。
【符号の説明】
１    個人認証装置
２    施錠機能付き扉
３    携帯電話端末
４    スピーカ
５    記憶手段
６    集音手段
７    ＦＦＴ手段
８    制御手段
９    制御部
１０    マイク
１１    アンプ
１２    Ａ／Ｄ変換器
１３    ＦＦＴ処理部
１４    第一のメモリ
１５    第二のメモリ
【図１】
2005002704.tif 000003
【図２】
2005002704.tif 000004
【図３】
2005002704.tif 000005
【図４】
2005002704.tif 000006
【図５】
2005002704.tif 000007
【図６】
2005002704.tif 000008